(57)【要約】  この発明は、中心軸（９）に沿ってベース部からピーク部（９）へ延在している本体（５）を備える毛管現象を利用した筆記具の先端部であって、前記本体は、ベース部に隣接するメインベース縁部、並びに略直線状の第１のピーク縁部及び第２のピーク縁部によって制限されたメイン面を有する。前記本体は、前記第１のピーク縁部によって一部を境界づけられた第１の従属面（２０）と、第２のピーク縁部によって一部を境界づけられた第２の従属面（３０）と、有し、前記第１の従属面（２０）及び前記第２の従属面（３）は、前記ピーク部（９）から前記ベース部に隣接する下向きの末端へ延在している略直線状の共通の縁部を分け合う。
2009533247.tif 000002
【特許請求の範囲】
【請求項１】
ベース部（８）から中心軸（Ｚ）に沿ってピーク部（９）へ延在する本体（５）を備える毛管現象を利用した筆記具の先端部であって、
前記本体（５）は、最大幅と称される、中心軸に対して横断方向に測定された最大寸法（Ｌ）を有するメイン面（１０）を有し、
略直線状の第１のピーク縁部（１３）及び第２のピーク縁部（１４）と同様に、前記ベース部に隣接するメインベース縁部（１１）によって境界を定められ、
前記第１のピーク縁部（１３）及び前記第２のピーク縁部（１４）は、前記ピーク部で合流し、前記最大長さより短いそれぞれの長さ（ｌ）である毛管現象の筆記具の先端部において、
前記本体はまた、
−第１のピーク縁部（１３）によって、境界を定めた第１の従属面（２０）と、
−第２のピーク縁部（１４）によって、境界を定めた第２の従属面（３０）と、
を有し、
−前記ピーク部（９）から前記ベース部（８）に隣接する下端へ延在している略直線状の共通の縁部（２３）を与える前記第１の従属面（２０）及び第２の従属面（３０）であって、前記共通の縁部は、前記最大幅（Ｌ）と異なり、且つ第１のピーク縁部及び第２のピーク縁部の長さ（ｌ）と異なる長さ（ｍ）を有している
ことを特徴とする筆記具の先端部。
【請求項２】
前記第１のピーク縁部（１３）及び前記第２のピーク縁部（１４）が同一の長さ（ｌ）を有することを特徴とする請求項１に記載の筆記具の先端部。
【請求項３】
前記第１のピーク縁部（１３）は、前記最大幅（Ｌ）の４０％と８０％との間である長さ（ｌ）を有し、前記共通の縁部（２３）は、前記最大幅の３０％と６０％との間であり、前記第１のピーク縁部の長さの少なくとも１５％小さい長さ（ｍ）を有していることを特徴とする請求項１又は請求項２に記載の筆記具の先端部。
【請求項４】
前記メインベース縁部（１１）は、略直線状であり、好ましくは、その長さが前記最大幅（Ｌ）に略等しいことを特徴とする請求項１〜３のいずれか一項に記載の筆記具の先端部。
【請求項５】
前記メイン面（１０）が平面であることを特徴とする請求項１〜４のいずれか一項に記載の筆記具の先端部。
【請求項６】
前記ベース部（８）は、前記中心軸（Ｚ）に対して全体的に矩形状の断面を有することを特徴とする請求項１〜５のいずれか一項に記載の筆記具の先端部。
【請求項７】
前記筆記具の先端部の前記ピーク部（９）は、前記中心軸（Ｚ）に対してオフセットされ、好ましくは、前記共通の縁部（２３）の側にオフセットされることを特徴とする請求項１〜６のいずれか一項に記載の筆記具の先端部。
【請求項８】
前記第１のピーク縁部（１３）及び前記第２のピーク縁部（１４）は、１５０°と９０°との間にある、前記メイン面の平面における角度を、前記第１のピーク縁部（１３）と前記第２のピーク縁部（１４）との間に形成することを特徴とする請求項１〜７のいずれか一項に記載の筆記具の先端部。
【請求項９】
前記共通の縁部（２３）は、前記中心軸（Ｚ）と共に、３０°と６０°との間である角度を形成していることを特徴とする請求項１〜８のいずれか一項に記載の筆記具の先端部。
【請求項１０】
前記縁部（１３，１４，２３）は、丸い外形を有していることを特徴とする請求項１〜９のいずれか一項に記載の筆記具の先端部。
【請求項１１】
前記本体（５）及び前記ベース部（８）は、合成樹脂を備える粒状材料、好ましくは、ポリプロピレンを焼結することによって一体に形成されることを特徴とする請求項１〜１０のいずれか一項に記載の筆記具の先端部。
【請求項１２】
インクを含有し、且つ請求項１〜１１のいずれか一項に記載の前記筆記具の先端部（４）が取り付けられる開口部を前端（２ａ）に有しているバレル（２）を備えることを特徴とする筆記具。
【請求項１３】
前記ベース部（８）は、前記筆記具の本体から突出していることを特徴とする請求項１２に記載の筆記具。
【発明の詳細な説明】
【技術分野】
【０００１】
本発明は、異なる所定の幅のラインを描くのに適した筆記用具の先端部に関する。
【背景技術】
【０００２】
より具体的に、本発明は、中心軸に沿ってベース部からピーク部へ延在している本体を備える毛管現象を利用した筆記具の先端部であって、前記本体が、最大幅と称される、中心軸に対して横断方向に測定された最大寸法を有するメイン面を有し、略直線状の第１及び第２のピーク縁部と同様に、ベース部に隣接したメインベース縁部によって境界を定められ、第１及び第２のピーク縁部が前記ピーク部で合流し、前記最大長さより短いそれぞれの長さを有していることを特徴とする毛管現象の筆記具の先端部に関する。
【０００３】
この種類の筆記具の先端部は、例えば、特許文献１から周知であるように、一般的に、マーカー又はハイライトマーカーのタイプのフェルトペンの筆記具に使用されている。先端部のピーク部は、細いラインを描くことによって、書くこと、又は下線を引くことを可能にさせる。メイン面、及び多くの場合対向する２つのメイン面は、紙のシートの平面に対して、メイン面を位置付けることによって、例えば、テキストに下線を引くために、又はテキストを強調するために、幅の広いラインを描くことを可能にさせる。多くの場合、特許文献１の図２の場合のようにメイン面の最大長さと略等しい、より長い長さのピーク縁部は、この縁部が紙のシートに対して接触した状態になる一方、筆記具の角度位置のより大きい自由度をさらに可能にすることによって、より幅の広いラインを描くことができる。
【０００４】
移動の方向に対して所定の角度でピーク縁部を位置付けることによって、中間の幅のラインを描くことが可能になるが、これは、湾曲したラインを描く場合、必然的に幅の変化が生じる器用さの程度を必要とする。
【０００５】
様々な解決方法は、多くの異なった幅で書くことを可能にさせる筆記具の先端部を提供することを視野に入れて提案され、特に、特許文献２に開示されるように、中心軸に対して偏心するピーク部を有する中央先端部を提供する先端部を視野に入れて提案される。しかしながら、そのような先端部は、２つの両極端の間で連続的にラインの幅を変えることを可能にさせる一方、所定の幅のラインを描くために正確な位置付けを必要とする。それ故に、一のライン幅から他のライン幅へ、素早く、且つ容易に変化することは、実際的ではないことを証明する。
【０００６】
それ故に、必要性は、異なった正確なライン及び所定の幅を描くことを可能にする筆記具の先端部のために存在し、特に、筆記するために細かいライン、下線を引くために平均の厚さのライン、及び強調するために幅広の厚さのラインを可能にする。
【特許文献１】独国特許第３３  ３６  ６６４号明細書
【特許文献２】米国特許第５  ８９７  ２６４号明細書
【発明の開示】
【発明が解決しようとする課題】
【０００７】
本発明の目的は、それ故に、正確なライン及び所定の異なった幅、すなわち少なくともそれらの３つの幅をトレースすることを可能にする一方、容易な使用及び快適な使用を提案する筆記具を提供することである。
【課題を解決するための手段】
【０００８】
この目的のために、本発明の主題は、上記のタイプの筆記具の先端部であって、本体はまた、
−ベース部に隣接する第１のベース縁部によって、及び第１のピーク縁部によって、境界を定めた第１の従属面と、
−ベース部に隣接する第２のベース縁部によって、及び第２のピーク縁部によって、境界を定めた第２の従属面と、
を有し、
−前記第１の従属面及び第２の従属面は、ピーク部からベース部に隣接する下端へ延在する略直線状の共通の縁部を存在し、前記共通の縁部は、最大幅から、及び第１のピーク縁部及び第２のピーク縁部の長さと異なった長さを有する。
【０００９】
最大幅、ピーク縁部の長さ、及び共通の縁部の長さは、３つの異なる幅でラインを描くことを可能にし、第１のピーク縁部及び第２のピーク縁部が異なる長さである場合、４つの異なる幅でラインを描くことを可能にする。実際、ベース部へ延在する共通の縁部は、第１のピーク縁部及び第２のピーク縁部に類似の方法で、明らかに画定された長さの追加の描写領域を生み出す。ベース部へ延在して、向けられていないピーク部の場合に、一般的に２つのピーク縁部のみを備える、又は２つの対のピーク縁部のみを備える先行技術の先端部と比較して、第３の縁部が上記に画定されるような先端部のおかげで、ベース部へ延在して得られる。それ故に、書き幅の可能性は、増加される一方、非常に良い筆記の快適性を保つ。それらのラインの幅は、もちろん、シートに対して略垂直である筆記具の先端部を位置付けることによってピーク部と共に得ることができる細いラインに加えている。
【００１０】
本発明の好ましい実施形態において、以下の構成のうちの１つ又は他の構成が使用されることができる。
−第１のピーク縁部及び第２のピーク縁部は、同一の長さを有し、それ故に、筆記具の先端部が、左利きの個人によって容易に使用されるのと同じくらい容易に、右利きの個人によって使用されることができる。
−第１のピーク縁部は、最大幅の４０％と８０％との間である長さを有し、共通の縁部は、最大幅の３０％と６０％との間であり、且つ、第１のピーク縁部の長さの少なくとも１５％に満たない長さを有する。長さ間のそれらの関係は、明らかに区別される書き幅を可能にする一方、使用者のために筆記の快適性を提供する。
−メインベース縁部は、略直線状であり、好ましくは、最大幅に略等しい長さの略直線状であり、それ故に、最大幅のラインは、縁部を使用して得られることができ、縁部は、筆記具の傾斜のより大きい自由度を可能にする。
−メイン面は、平面であり、迅速に大量のインクを使用することを可能にさせる。
−ベース部は、中心軸に対して全体的に矩形状の断面を有し、この配置は、先端部によって必要とされる空間を過大に増加することなく、異なるラインの幅の間のより大きい幅を可能にする。
−筆記具のピーク部は、中心軸に対してオフセットされ、好ましくは、共通の縁部の側にオフセットされ、この配置は、最大幅と共通の縁部の長さとの間の差を増加することを可能にする。
−第１のピーク縁部及び第２のピーク縁部は、第１のピーク縁部と第２のピーク縁部との間に、１５０°と９０°との間にあるメイン面の平面置ける所定の角度を形成し、経験は、よい筆記の快適性が保持されることを示す。
−共通の縁部は、筆記の快適性のために、３０°と６０°との間である所定の角度を形成する。
−縁部が丸い外形を有する。
−本体及びベース部は、合成樹脂及び好ましくは、ポリプロピレンを備える粒状材料を焼結することによって、一体に形成される。
【００１１】
本発明は、インクを含有し、以前に画定されたような先端部が取り付けられる開口部を前端部に有するバレルを備える筆記具に関し、好ましくは、筆記具のバレルから突出している先端部のベース部を有する筆記具に関する。
【００１２】
他の特性及び利点は、添付された図面を参照して、制限されない例示として付与され、以下の説明から明らかになる。
【発明を実施するための最良の形態】
【００１３】
図１は、インクのリザーバが内側に配置されたバレル２を備え、前端部２ａで、筆記具の先端部４が取り付けられる開口部を有する筆記具１を示す。
【００１４】
破線で図に表示されているインクリザーバ３は、周知の方法でインクを浸透させた繊維パッドである。しかし、それは、任意の種類のインクリザーバ、特に、自由なインクを含有しているリザーバである。
【００１５】
筆記具の先端部４は、先端本体５と、先端本体５に固定して取り付けられた接続部６と、を備え、先端本体５は、周知の方法で、バレル２の開口部内に筆記具の先端部の取り付けを可能にし、且つ筆記具の先端部の前端部、すなわち、筆記具の先端本体５にインクの供給を可能にする。先端本体５及び接続部６は、標準どおりの方法でインクを供給することを可能にする毛管材料（ｃａｐｉｌｌａｒｙ  ｍａｔｅｒｉａｌ）からなり、単一部材で形成される。しかしながら、先端本体及び接続部を２つの要素で提供することが完全に可能になり、又は、バレルの前端部の構造及び使用されるべき液体の性質に応じて、追加の中間接続部を提供すること完全に可能になる。
【００１６】
図２〜図５はより明らかに示されるように、先端部の本体５は、ベース部８、ベース部８からピーク部９まで延在するメイン面１０、第１の従属面２０、及び第２の従属面３０、を備える。それ故に、本体５は、ベース部８の中央と同軸な中心軸Ｚに沿って全体に延在し、示されている実施形態において、接続部６の長手方向の軸と同軸な中心軸Ｚに沿って全体に延在する。
【００１７】
ベース部８は、平坦な前面８ｂ、環状側壁部８ｃ、及び参照されていない前面によって境界を定めた容積によって形成され、参照されていない前面は、形状において多かれ少なかれ複雑であり、環状の側壁部８ｃとメイン面及び従属面（１０，２０，３０）との間で接続縁部によって画定される。しかしながら、ベース部８がより平坦な容積、又は平面の同一な容積の形態であることも、考えられる。
【００１８】
図４に最もよく見られるように、メイン面１０は、直線状のベース縁部１１によって、及び第１及び第２のピーク縁部（１３，１４）によって境界を定められ、ベース縁部１１、第１のピーク縁部１３、及び第２のピーク縁部１４は直線状であり、ピーク部９で合流する。減少された長さの相補的なベース縁部１５は、第１及び第２のピーク縁部（１３，１４）の下端にメインベース縁部１１の端部を接触することを可能にさせる。それらの相補的なベース縁部１５は、主に、ベース部８の断面のためであり、ベース部８の断面は、図２において明らかに見られるような、円の円弧の形態で小さな側部を有する矩形の形態である。しかし、直線状のメインベース縁部へ延在する第１及び第２のピーク縁部（１３，１４）を有することは、好ましくは可能である。
【００１９】
それ故に、メイン面１０は、ラインが紙のシートに対してこの全体の面を作用することによって描かれることを可能にするように、平坦であり、大量のインクを蓄積することを可能にさせる。
【００２０】
メイン面１０は、最大幅Ｌと称される中心軸Ｚに対して横断方向に測定された最大寸法Ｌを有する。示された構成において、この最大幅Ｌは、ピーク縁部（１３，１４）の下端を分離する距離に対応する。
この距離Ｌは、相補的なベース縁部１５の減少された長さを与えられたメインベース縁部１１の長さより、非常に僅かに大きいことに留意されるべきである。
【００２１】
ピーク縁部（１３，１４）は、この縁部の長さｌに対応する、与えられた長さのラインを容易に描くことを可能にするために、この好ましい実施形態において、同一である長さｌを有する。
【００２２】
図２により良く見られる第１の従属面２０は、第１のピーク縁部１３、及び第２の従属面３０を有する共通の縁部２３によって適所で境界を定められる。共通の縁部２３は、ピーク部９からベース部８へ延在し、幅広のラインを描かれることを可能にするように、長さｍに亘って直線状である。第１の従属面２０はまた、ベース縁部２４によって境界を定められ、ベース縁部２４は、直線状であり、且つ本体５の横断面に対して傾斜され、相補的なベース縁部２５は、ベース部の環状側壁部８ｃの円の円弧の形態である端面のために、円の円弧の形態である。この実施形態において、第１の従属面２０は、完全に平坦ではなく、その結果、この面の全体の接触によってラインを描くことは、明白に提供されてない。
【００２３】
類似の方法において、第２の従属面３０は、第２のピーク縁部１４、共通の縁部２３、メインベース縁部３４、及び相補的なベース縁部３５によって境界を定められる。第２の従属面は、それ故に、中心軸Ｚを通過する平面に対して第１の従属面２０と対照的であり、共通の縁部２３を備えている。しかしながら、例えば、第１のピーク縁部と異なる長さの第２のピーク縁部１４を提供するために、第２の従属面３０が第１の従属面２０と実質的になることが可能である。
【００２４】
第１及び第２のピーク縁部（１３，１４）と共通の縁部２３とは、筆記具の先端部４のピーク部９を形成する単一の点で合流する。それ故に、このピーク部は、中心軸に近接して配置された先端面を有し、それ故に、特に、精密且つ正確なラインを描くのにうまく適する。ピーク部の丸い先端面が、筆記方向に対してその中心軸に関して、先端部の角度方向に関係なく、略垂直方向の筆記具を保持することによって、すなわち、下降行程及び上昇行程することなく、一定の幅の精密なラインを描くことを可能にすることは、理解されるであろう。
【００２５】
このように構成された本体５は、ピーク部９に加えて、所定の幅のラインを描くことを可能にさせる異なる面及び縁部を設ける。すなわち、最大幅Ｌ及び／又はメイン面１０のメインベース縁部１１、同一の長さｌの第１及び第２のピーク縁部（１３，１４）、又は図５に可視される長さｍを有する共通の縁部２３から選択された幅のラインを描くことができる。ラインが３つの異なる幅で描かれることを可能にするために、最大幅Ｌ、第１及び第２のピーク縁部（１３，１４）の長さｌ、共通の縁部２３の長さｍは異なり、残りの２つの長さは、好ましくは最大幅Ｌよりも短い。
【００２６】
異なるラインは可視できる異なる幅を有するために、ピーク縁部の長さｌは、最大長さＬの４０％と８０％との間であり、好ましくは、長さＬの５０％に近傍である。共通の縁部２３は、最大幅の３０％と６０％との間である長さｍを有し、好ましくは最大幅の４０％より僅かに大きい。一方、明らかに可視されるべきためのピーク縁部及び共通の縁部２３によって描かれたラインの幅のために、共通の縁部の長さがピーク縁部（１３，１４）の長さｌより少なくとも１５％短いことは、十分である。しかし、当然ながら、それらの割合は、例えば、ベース部８の幾何学形状及び面又は縁の傾斜の角度を修正することによって、求められる結果に依存して、実質的に異なることができる。
【００２７】
一方、本発明によって製造された筆記具の先端部によって提案された所定の書き幅を増やすことも可能である。
例えば、第１のピーク縁部１３と第２のピーク縁部１４との間の異なる長さを適合することは、好ましくは可能であり、又は、メインベース縁部１１の長さと実質的に異なる幅Ｌを提供することは、好ましくは可能であり、それ故に、シートに対してメイン面１０を適用するか、又はメイン面１０のベース縁部１１のみを適用するかのいずれかによって、２つの異なる書き幅を得ることが、好ましくは可能である。最後に、他のベース縁部が同一の書き幅及び異なる書き幅を供給することは、想定されるべきである。
【００２８】
書くために設計された各縁部又は面が、書くことが可能になるために、筆記具の筆記具の先端部４及びバレル２の残り部分に対して間隙を有することは、補償されなければならない、且つ紙、又は任意の他の介在物に対する、筆記具の傾斜角度、すなわち、中心軸Ｚに対する傾斜角度が使用者のために許容可能のままであることは、補償されなければならない。この目的のために、中心軸Ｚに対する共通の縁部２３の傾斜の角度は、３０°と６０°との間である。中心軸Ｚを有するメイン面１０によって形成された角度も、この範囲内に含まれる。第１のピーク縁部１３と第２のピーク縁部１４との間に形成された角度は、好ましくは、１５０°と９０°との間に配置される。左利きの個人及び右利きの個人の筆記の快適性のために、中心軸Ｚを有するピーク縁部（１３，１４）のそれぞれによって形成された角度が同一であることも所望され、それ故に、４５°と７５°との間であることも所望される。表示された全ての角度の値は、筆記具の先端部の本体５の側部上に測定された角度に対応する。
【００２９】
他の配置は、異なる縁部の長さと最大幅Ｌとの間を明らかに区別するために、提供される。例えば、メイン面１０の表面を増加し、且つ共通の縁部２３の長さｍを減少する目的のために、ピーク部９が中心軸Ｚに対して共通の縁部の側に僅からにオフセットされることに留意される場合がある。一方、全体の矩形の断面のベース部８は、適合され、メイン面１０は、可能な限り長い最大長さＬを得るために、且つ本端５の寸法に対して十分な長さのピーク縁部（１３，１４）を得るために、メインベース縁部１１がこの矩形状の部分の長辺のうちの１つに対応するように作用される。
【００３０】
ラインを描くことを意図された縁部、すなわち、メインベース縁部１１、ピーク縁部（１３，１４）、及び共通の縁部２３は、丸い外形を有することに留意されるべきである。これは、有効な表面領域に亘って紙のシートとの接線接触を可能にし、摩擦に対する先端部の感応性を低下させ、この縁部によって形成された軸に関して、筆記具の傾斜角度における重要である変化を可能にする。
【００３１】
筆記部の先端部の本体は、金型内で粒状材料を焼結することによって製造される。それ故に、非常に大きいスケールで製造されたアイテムと同等で、複雑且つ非常に精密な形状を製造することが可能になる。粒状材料は、有利には、高温の焼結作業が容易になるので、主にポリプロピレンの合成樹脂及び複合樹脂である。
【００３２】
異なる幅のラインを描くために、使用者が描きたい、すなわち使用者の手に対して本質的に描きたいラインの方向にその中心軸Ｚに関する所定の角度で筆記具の先端部４を向けることが重要であり、使用者が使用したいという縁部又は面との接触した状態になるように、紙のシートに対して筆記具１を傾斜することが重要である。この傾斜は、使用者によって先端部に作用された圧力のために、ラインの描く間中に維持される。検査は、合計で４つの書き幅を可能にする実施形態のような、そのような先端部の使用が、使用者のために直感的であることを示す。さらに、この使用は、標準的な傾斜に対してこの先端部によって可能とされる角度配置のために、比較的容易である。
【図面の簡単な説明】
【００３３】
【図１】本発明による筆記具の先端部を備える筆記具の部分斜視図である。
【図２】筆記具の先端部の拡大正面図である。
【図３】図２に表示された先端部の平面図
【図４】図２に表示された先端部の下面図である
【図５】図２に表示された先端部の側面図である。
【符号の説明】
【００３４】
１  筆記具
２  バレル
３  インクリザーバ
４  先端部
５  本体
６  接続部
８  ベース部
８ｂ  前平面
８ｃ  環状の側壁部
９  ピーク部
１０  メイン面
１１  ベース縁部
１３  第１のピーク縁部
１４  第２のピーク縁部
１５  ベース縁部
２０  第１の従属面
２３  共通の縁部
２４  ベース縁部
２５  ベース縁部
３０  第２の従属面
３４  メインベース縁部
３５  ベース縁部
Ｌ  ベース縁部１１の長さ、最大幅
ｌ  ピーク縁部１３，１４の長さ
ｍ  共通の縁部２３の長さ
Ｚ  中心軸
【図１】
2009533247.tif 000003
【図２】
2009533247.tif 000004
【図３】
2009533247.tif 000005
【図４】
2009533247.tif 000006
【図５】
2009533247.tif 000007
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
ベース部（８）から中心軸（Ｚ）に沿ってピーク部（９）へ延在する本体（５）を備える毛管現象を利用した筆記具の先端部であって、
前記本体（５）は、最大幅と称される、中心軸に対して横断方向に測定された最大寸法（Ｌ）を有するメイン面（１０）を有し、
略直線状の第１のピーク縁部（１３）及び第２のピーク縁部（１４）と同様に、前記ベース部に隣接するメインベース縁部（１１）によって境界を定められ、
前記第１のピーク縁部（１３）及び前記第２のピーク縁部（１４）は、前記ピーク部で合流し、前記最大幅より短いそれぞれの長さ（ｌ）である毛管現象の筆記具の先端部において、
前記本体はまた、
−第１のピーク縁部（１３）によって、境界を定めた第１の従属面（２０）と、
−第２のピーク縁部（１４）によって、境界を定めた第２の従属面（３０）と、
を有し、
−前記ピーク部（９）から前記ベース部（８）に隣接する下端へ延在している略直線状の共通の縁部（２３）を与える前記第１の従属面（２０）及び第２の従属面（３０）であって、前記共通の縁部は、前記最大幅（Ｌ）と異なり、且つ第１のピーク縁部及び第２のピーク縁部の長さ（ｌ）と異なる長さ（ｍ）を有している
ことを特徴とする筆記具の先端部。
【請求項２】
前記第１のピーク縁部（１３）及び前記第２のピーク縁部（１４）が同一の長さ（ｌ）を有することを特徴とする請求項１に記載の筆記具の先端部。
【請求項３】
前記第１のピーク縁部（１３）は、前記最大幅（Ｌ）の４０％と８０％との間である長さ（ｌ）を有し、前記共通の縁部（２３）は、前記最大幅の３０％と６０％との間であり、前記第１のピーク縁部の長さの少なくとも１５％小さい長さ（ｍ）を有していることを特徴とする請求項１又は請求項２に記載の筆記具の先端部。
【請求項４】
前記メインベース縁部（１１）は、略直線状であり、好ましくは、その長さが前記最大幅（Ｌ）に略等しいことを特徴とする請求項１〜３のいずれか一項に記載の筆記具の先端部。
【請求項５】
前記メイン面（１０）が平面であることを特徴とする請求項１〜４のいずれか一項に記載の筆記具の先端部。
【請求項６】
前記ベース部（８）は、前記中心軸（Ｚ）に対して全体的に矩形状の断面を有することを特徴とする請求項１〜５のいずれか一項に記載の筆記具の先端部。
【請求項７】
前記筆記具の先端部の前記ピーク部（９）は、前記中心軸（Ｚ）に対してオフセットされ、好ましくは、前記共通の縁部（２３）の側にオフセットされることを特徴とする請求項１〜６のいずれか一項に記載の筆記具の先端部。
【請求項８】
前記第１のピーク縁部（１３）及び前記第２のピーク縁部（１４）は、１５０°と９０°との間にある、前記メイン面の平面における角度を、前記第１のピーク縁部（１３）と前記第２のピーク縁部（１４）との間に形成することを特徴とする請求項１〜７のいずれか一項に記載の筆記具の先端部。
【請求項９】
前記共通の縁部（２３）は、前記中心軸（Ｚ）と共に、３０°と６０°との間である角度を形成していることを特徴とする請求項１〜８のいずれか一項に記載の筆記具の先端部。
【請求項１０】
前記縁部（１３，１４，２３）は、丸い外形を有していることを特徴とする請求項１〜９のいずれか一項に記載の筆記具の先端部。
【請求項１１】
前記本体（５）及び前記ベース部（８）は、合成樹脂を備える粒状材料、好ましくは、ポリプロピレンを焼結することによって一体に形成されることを特徴とする請求項１〜１０のいずれか一項に記載の筆記具の先端部。
【請求項１２】
インクを含有し、且つ請求項１〜１１のいずれか一項に記載の前記筆記具の先端部（４）が取り付けられる開口部を前端（２ａ）に有しているバレル（２）を備えることを特徴とする筆記具。
【請求項１３】
前記ベース部（８）は、前記筆記具のバレルから突出していることを特徴とする請求項１２に記載の筆記具。
【手続補正２】
【補正対象書類名】明細書
【補正対象項目名】０００２
【補正方法】変更
【補正の内容】
【０００２】
より具体的に、本発明は、中心軸に沿ってベース部からピーク部へ延在している本体を備える毛管現象を利用した筆記具の先端部であって、前記本体が、最大幅と称される、中心軸に対して横断方向に測定された最大寸法を有するメイン面を有し、略直線状の第１及び第２のピーク縁部と同様に、ベース部に隣接したメインベース縁部によって境界を定められ、第１及び第２のピーク縁部が前記ピーク部で合流し、前記最大幅より短いそれぞれの長さを有していることを特徴とする毛管現象の筆記具の先端部に関する。
【手続補正３】
【補正対象書類名】明細書
【補正対象項目名】０００９
【補正方法】変更
【補正の内容】
【０００９】
最大幅、ピーク縁部の長さ、及び共通の縁部の長さは、３つの異なる幅でラインを描くことを可能にし、第１のピーク縁部及び第２のピーク縁部が異なる長さである場合、４つの異なる幅でラインを描くことを可能にする。実際、ベース部へ延在する共通の縁部は、第１のピーク縁部及び第２のピーク縁部に類似の方法で、明らかに画定された幅の追加の描写領域を生み出す。ベース部へ延在して、向けられていないピーク部の場合に、一般的に２つのピーク縁部のみを備える、又は２つの対のピーク縁部のみを備える先行技術の先端部と比較して、第３の縁部が上記に画定されるような先端部のおかげで、ベース部へ延在して得られる。それ故に、書き幅の可能性は、増加される一方、非常に良い筆記の快適性を保つ。それらのラインの幅は、もちろん、シートに対して略垂直である筆記具の先端部を位置付けることによってピーク部と共に得ることができる細いラインに加えている。
【国際調査報告】
2009533247.tif 000008
2009533247.tif 000009
2009533247.tif 000010
2009533247.tif 000011
2009533247.tif 000012
2009533247.tif 000013